(57)【特許請求の範囲】
【請求項１】
閉戸時、戸枠側の受け金具或いは戸枠に当たると、トリガーバネのバネ力に抗して錠箱内に後退する反面、開戸時、錠箱内に上下方向に案内されるラッチユニット部材のラッチにより所定の突出位置にて係止されるトリガーと、このトリガーに連動するように錠箱内の固定軸に軸支された鎌片とを備えた引戸錠に於いて、前記ラッチユニット部材は、垂直方向に移動可能な枠状の支持片と、この支持片に可動軸を介して軸支され、かつ、トリガーの仮止め用係合部分に係合可能な係止爪部を有するラッチと、前記支持片に前記可動軸を介して組み込まれ、かつ、前記ラッチを係合可能に位置へ付勢する仮止め用バネを備え、さらに、錠箱内にストッパーを設け、一方、前記ラッチには、前記ストッパーに圧接する当たり部分を設け、ストライクの開口縁部分から鎌片の先端部が外れる係合解消の初期段階に、トリガーの仮止め用係合部分に押圧されて傾倒するラッチと共に支持片も一緒に同期的に上昇して、トリガーの仮止め用係合部分を乗り越えるようにしたことを特徴とする引戸錠。
【請求項２】
請求項１に於いて、ラッチの係止爪部は、トリガーの一辺に連続的に形成された複数個の仮止め用係合部分と選択的に係合可能であることを特徴とする引戸錠。
【請求項３】
請求項１又は請求項２に於いて、閉戸時の仮施錠の際に、操作部材の操作力によりスライドしてトリガーに係合する錠止腕及びラッチに係合して該ラッチの回転を阻止する阻止部分を有する本施錠片をラッチの隣に配設したことを特徴とする引戸錠。
【発明の詳細な説明】
【技術分野】
【０００１】
本発明は、引戸を閉めると、戸枠側の受け金具に当たって錠箱内に後退するトリガー、該トリガーに連動する鎌片を備えた引戸錠に関する。
【背景技術】
【０００２】
錠箱のフロントから受け金具に向かって突出するトリガー（水平突出杆）と、このトリガーの後退動に連動して前記受け金具に係合する方向へ回転する鎌片を備えた建具用引戸錠は、例えば実開昭５７−１１０２６０号公報（特許文献１）に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合方向へと突出する。
【０００４】
トリガーに連動する鎌片を備えた引戸錠は、引戸を閉めた時の跳ね返り現象が発生するので、その防止策として錠箱内に「ラッチユニット部材（仮施錠機構）」を設ける場合が多い。ラッチユニット部材の一例は特許文献２に記載されている。
【０００５】
ところで、出願人は、閉戸時、戸枠側の受け金具或いは戸枠に当たると、トリガーは、トリガーバネのバネ力に抗して錠箱内に後退する反面、開戸時、トリガーは、トリガーバネのバネ力により所定位置まで突出して、ラッチユニット部材のラッチの係合爪部に係止される引戸錠を申請中である。この引戸錠は、トリガーに連動するように錠箱内の固定軸に軸支された鎌片と、さらに、閉戸時の仮施錠の際に、操作部材の操作力によりスライドしてトリガーに係合する錠止腕を有する本施錠片とを備えている（特願２００５−１１１０９９）。
【０００６】
特許出願人が提案した該引戸錠には、一つの問題点がある。それは、開戸時におけるラッチの異常作動である。この異常作動は、鎌片の先端部とストライクとの係合具合、引戸を開くスピード、トリガーの一辺に係合した仮止め用係合部分とラッチとの係合具合、ラッチと該ラッチを支持する支持板との作動タイミング等の要因が重なり合うと生ずる。
【０００７】
そこで、図１０ないし図１３を参照にして、ラッチの異常作動を説明する。まず、図１０に於いて、１は引戸、２は戸枠、３はトロヨケ、４はストライク、４ａはストライクの開口縁部分、５は錠箱、６は錠箱のフロント、７はトリガー、８はトリガー７の一辺に形成された複数個の仮止め用係合部分、９はラッチユニット部材、１０はトリガー７に連動するように錠箱５内の固定軸に軸支された鎌片である。
【０００８】
前記ラッチユニット部材９は、錠箱内に設けられた支持片用バネ１１のバネ力に抗して垂直方向に移動可能な枠状の支持片１２と、この支持片１２に可動軸１３を介して軸支され、かつ、トリガー７の仮止め用係合部分８に選択的に係合可能な係止爪部１５を有するラッチ１４と、前記支持片１２に前記可動軸１３を介して組み込まれ、かつ、前記ラッチ１４を係合可能な位置へ付勢する仮止め用バネ１６とで構成されている。
【０００９】
また、前記トリガー７はトリガーバネ１７により突出方向に付勢されている。したがって、トリガー７は、閉戸時、戸枠側の受け金具Ｙ（ストライクの外壁面）或いは戸枠に当たると、トリガーバネ１７のバネ力に抗して錠箱５内に後退する反面、開戸時、トリガーバネ１７のバネ力により突出し、かつ、ラッチユニット部材９のラッチ１４の係合爪部１５により所定の突出位置にて係止され得る。
【００１０】
次に、図１１を参照にして説明する。上記構成に於いて、矢印Ａで示すように、引戸１を開こうとする。引戸１を開く場合には、「すばやく開く場合」や「ゆっくり開く場合」があるが、ここでは「ややゆっくり開く場合」であると仮定する。また、ストライク４に鎌片１０の先端部１０ａが係合（掛合）する場合には、「深く係合する場合」や「浅く係合する場合」があるが、こごては「やや浅く係合している場合（開口縁部分４ａよりの部位に掛合）」であると仮定する。そして、この実施例では、ラッチ１４の作動態様に関しては、ストライク４の開口縁部分４ａから鎌片１０の先端部１０ａが外れる係合解消の初期段階に、トリガー７の仮止め用係合部分８に押圧されて傾倒するラッチ１４は、枠状支持片１２よりも若干早く傾倒回転し始め、その後に追従して枠状支持片１２がそのバネ１１のバネ力に抗してラッチ１４と共に上昇する構成である。
【００１１】
さて、引戸１を開こうとすると、鎌片１０の先端部１０ａが、ストライク４の内壁面に当たるとこから、引戸１側から見れば、係合中の鎌片１０がストライク４に引っ張り出される格好となる。鎌片１０がストライク４に引っ張り出されるということは、同時に共働関係にあるトリガー７も引っ張り出される格好となる。図の矢印は、トリガー７が鎌片１０を介して張り出されることを意味している。この時、鎌片１０は水平長孔１８を介してある程度引っ張られると、図１２で示すように、固定支軸１９を始点にして回転し、ストライク４の開口縁部分４ａから外れる。
【００１２】
ところで、開戸時、ラッチユニット部材９は、トリガー７が引っ張られると、図１２の矢印で示すように、ラッチ１４は時計方向に所要量回転する。何故ならば、ラッチ１４の係合爪部１５はトリガー７の係合部分８の垂直面で押圧されるからである。この時、前述したように、まずラッチ１４が枠状支持片１２よりも若干早く傾倒回転し始め、その後に追従して枠状支持片１２がそのバネ１１のバネ力に抗してラッチ１４と共に上昇する（非同期的上昇）。
【００１３】
換言すれば、枠状の支持片１２は、まず、ラッチ１４が枠状支持片１２内の仮止め用バネ１６のバネ力に抗して所要量回転し、その回転中にラッチ１４の作動を介して支持片用バネ１１のバネ力に抗して所要量上方方向に移動することから、前記ラッチ１４は、トリガー７の仮止め用係合部分８から、その係止爪部１５を外していく。
【００１４】
しかしながら、今仮に、ラッチ７が前方の仮止め用係合部分８を乗り越え、次の仮止め用係合部分８を乗り越えようとした場合（もちろん、仮止め用係合部分８が１個の場合でも良い）に於いて、前述した要因、例えば引戸１をややゆっくり開きながら、１つの仮止め用係合部分８を乗り越えようとしている瞬間に、鎌片１０の先端部１０ａがストライク４の開口縁部分４ａから外れたとき、ラッチ１４が支持片１２に対して単独で所要量回転し、それに追従して支持片１２が上昇し始めているにもかかわらず、傾倒状態のラッチ１４が支持片用バネ１１のバネ力により下降する支持片１２を介してそのまま初期状態に復帰してしまうことがある。つまり、ラッチ１４の係合爪部１５が仮止め用係合部分８を乗り越えないで復帰してしまうことがある。
【００１５】
このような作動態様の場合には、図１３で示すように、ラッチユニット部材９が支持片用バネ１１のバネ力により下降する際に、ラッチ１４の係合爪部１５がトリガーの仮止め用係合部分８を右方向に押すことから、トリガー７が矢印で示すように、錠箱５内へと退動し、該トリガー７と連動する鎌片１０が施錠方向へと回転してしまう現象が発生する（問題点）。つまり、引戸１の開く際に、ラッチ１４の異常作動（単独的傾倒ないしそのまま復帰）が起こり、引戸１を開いても、鎌片１０が突出状態になってしまうことがあった。
【特許文献１】実開昭５７−１１０２６０号公報
【特許文献２】特開２００２−３２２８５０号公報
【発明の開示】
【発明が解決しようとする課題】
【００１６】
本発明が解決しようとする課題は、開戸時、鎌片の先端部がストライクの開口縁部分から外れる際、ラッチがその支持片に対して単独で所要量回転した後に支持片が上昇し、かつ、傾倒状態となったラッチが支持片用バネのバネ力により下降する支持片を介してそのまま初期状態に復帰してしまう（トリガーの係合部分を乗り越えることができない）という異常な作動態様に起因して、鎌片が突出状態になってしまうのを防止することである。
【課題を解決するための手段】
【００１７】
本発明の引戸錠は、閉戸時、戸枠側の受け金具或いは戸枠に当たると、トリガーバネのバネ力に抗して錠箱内に後退する反面、開戸時、錠箱内に上下方向に案内されるラッチユニット部材のラッチにより所定の突出位置にて係止されるトリガーと、このトリガーに連動するように錠箱内の固定軸に軸支された鎌片とを備えた引戸錠に於いて、前記ラッチユニット部材は、垂直方向に移動可能な枠状の支持片と、この支持片に可動軸を介して軸支され、かつ、トリガーの仮止め用係合部分に係合可能な係止爪部を有するラッチと、前記支持片に前記可動軸を介して組み込まれ、かつ、前記ラッチを係合可能に位置へ付勢する仮止め用バネを備え、さらに、錠箱内にストッパーを設け、一方、前記ラッチには、前記ストッパーに圧接する当たり部分を設け、ストライクの開口縁部分から鎌片の先端部が外れる係合解消の初期段階に、トリガーの仮止め用係合部分に押圧されて傾倒するラッチと共に支持片も一緒に同期的に上昇して、トリガーの仮止め用係合部分を乗り越えるようにしたことを特徴とする。
【発明の効果】
【００１８】
（１）請求項１に記載の発明は、開戸時のラッチ１４の異常作動（単独的傾倒ないしそのまま復帰）により、引戸１を開いても、鎌片１０が突出状態になってしまうような事態を防止することができる。つまり、引戸を開いたのにも拘わらず、図１３で示すように、鎌片１０が突出状態になるのを防止することができる。
（２）請求項１に記載の発明は、５ｍｍ，３ｍｍ，２ｍｍなどチリ寸法が異なる場合であっても、一つの引戸錠で対応することができる。
（３）請求項３に記載の発明は、仮施錠時、本施錠片が操作部材の操作力によりスライドすると、前記錠止腕がトリガーに係合すると同時に、阻止部分がラッチの回転を阻止するので、ラッチユニット部材９と本施錠片の組合せが合理的であり、錠箱の限られた空間を有効的に活用することができる。
【発明を実施するための最良の形態】
【００１９】
以下、図１乃至図９に示す本発明を実施するための最良の形態により説明する。本発明の構成要件に関係のない部材や部分の説明は割愛又は簡単に説明する。
【００２０】
（１）発明の実施の環境
まず、本願発明に関連する発明の実施の環境について説明する。図１は実施形態の一例を示す引戸錠の外観構成を示す斜視図、図２は鎌片が錠箱内に位置し、トリガーの先端部がストライクの外壁面に当たる所を示した説明図、図３は閉戸時の一例を示した説明図である。なお、説明の便宜上、図１０で用いた用語及び符号を用いる。
【００２１】
したがって、図に於いて、Ｘは、例えば引戸１の中に収められる彫り込み型の引戸錠である。一方、Ｙは戸枠２に固定的に取付けられた受け金具である。受け金具Ｙは、ボックス部を有するトロヨケ３と、このトロヨケ３の開口に重ね合わせられたストライク４とから成る。ストライク４は縦長の板状に形成され、複数個の固着手段を介してトロヨケ３の耳状の取り付け部に固定される。引戸を閉める際、図２で示すように、トリガー７の先端部は、ストライク４の表面に当接可能である。また、閉戸時、図３で示すように、トリガー７は錠箱内へと後退し、これに連動する鎌片１０は回転してストライク４に係合する。本実施例では、閉戸時、引戸１を閉めると、トリガー７が錠箱内に後退動し、例えば５ｍｍ，３ｍｍ，２ｍｍ，１，８ｍｍなどのチリ寸法に対応してラッチユニット部材９を構成するラッチ１４が、トリガー７の仮止め用係合部分８に選択的に係合する。
【００２２】
（２）基本的な構成部材と部分、
図４は主要部を示す概略説明図（トリガーが突出した状態）である。主に、図２及び図４を参照にして、本発明の基本的な構成部材を説明する。１は引戸、２は戸枠、３はトロヨケ、４はストライク、４ａはストライクの開口縁部分、５は錠箱、６は錠箱のフロント、７はトリガー、８はトリガー７の一辺に形成された複数個の仮止め用係合部分、９はラッチユニット部材、１０はトリガー７に連動するように錠箱５内の固定軸１９に軸支された鎌片である。また、１１はラッチユニット部材９を付勢する支持片用のバネ、１２は枠状の支持片、１３は水平方向の可動軸、１４はラッチ、１５はラッチの係止爪部、１６は仮止め用バネ、１７はトリガーを付勢するトリガーバネ、１８は鎌片の水平長孔、１９は鎌片を軸支する固定支軸、２０は錠箱内に設けたラッチ用ストッパー、２１はラッチ用ストッパーと圧接可能なラッチの当たり部分である。なお、前記水平方向の可動軸１３は、垂直方向へ移動する。
【００２３】
（３）ラッチユニット部材９
図４及び図５を参照にして、ラッチユニット部材９を説明する。前述したように、ラッチユニット部材９は、錠箱５内に設けられた支持片用バネ１１のバネ力に抗して垂直方向に移動可能な枠状の支持片１２と、この支持片１２に可動軸１３を介して軸支され、かつ、トリガー７の仮止め用係合部分８に選択的に係合可能な係止爪部１５を有するラッチ１４と、前記支持片１２に前記可動軸１３を介して組み込まれ、かつ、前記ラッチ１４を係合可能な位置へ付勢する仮止め用バネ１６とで構成されている。なお、枠状の支持片１２の下端部側に形成された可動軸１３用の軸孔は真円であり、該真円孔に可動軸１３が遊嵌合している。また、前記可動軸１３を案内する錠箱５の案内部２３は、図１で示すように垂直案内長孔である（図４では仮想線）。
【００２４】
しかして、断面Ｕ字形状のラッチ１４の右側壁の下部寄りの部位には、錠箱５内に横設したラッチ用ストッパー（本実施例ではストッパーピン）２０に圧接する当たり部分２１が突出形成されている。
【００２５】
なお、本実施例では、錠箱５のフロント６の一つの開口部６ａ側にＬ型形状のラッチ強制解除手段２５が配設される。ラッチ強制解除手段２５は錠箱５内の隅部に設けられた横軸２６に軸支され、図示しないドライバー等の操作部材を操作すると、ラッチユニット部材９の枠状の支持片１２を支持片用バネ１１のバネ力に抗して上方へと持ち上げることが可能であるが、本発明の特定事項ではない。
【００２６】
（４）トリガー
主に図６、図７を参照にしてトリガー７を説明する。図６はトリガー７の正面図、図７はその左側面図である。トリガー７は錠箱５内に摺動自在に装着されている。このトリガー７は、やや長杆状先端部３２と、この突出先端部３２に幅広に連設する幅広状後端部３３とから成り、図４で示すように引戸が開いている時は、前記先端部３２は錠箱５のフロント１１から突出する。
【００２７】
しかして、８は複数個の仮止め用係合部分で、これらの係合部分８は、傾斜状の摺接面３４をそれぞれ有している。ラッチユニット部材９はトリガー７の上方に配設され、前述したように、ラッチ１４の係合爪部１５は、トリガー７の複数個の仮止め用係合部分８のいずれかに係合可能である。
【００２８】
ところで、トリガー７は複数個の係合部分を有しているので、ここでは、仮止め用係合部分８をラッチ用の第１係合部分とする。この第１係合部分８の摺接面３４は、トリガー７が図６の矢印Ａ方向へ移動（後退）する場合には、ラッチ１４の係合爪部１５がスライドし、一方、第１係合部分８の垂直状態の押圧面３５は、トリガー７が図６の矢印Ｂ方向へ移動（前進）する場合には、ラッチ１４の係合爪部１５を押圧する。したがって、引戸の開戸時、ラッチ１４の係合爪部１５は、前記押圧面３５に押圧された後に該押圧面３５を乗り越え、前記摺接面３４をスライドする（図４参照）。
【００２９】
また、トリガー７のその余の係合部分についても説明する。３６は幅広後端部３３の下辺の先端部分に下向きＵ字形状に形成された第２係合部分で、この第２係合部分３６には、鎌片の可動軸２７が摺接自在に係合する。また、３７は幅広後端部３３の後端面からその内部にかけて横溝状に形成されたバネ嵌合部分で、このバネ嵌合部分３７にはトリガーバネ１７の先端側が組み込まれている。
【００３０】
さらに、幅広後端部３３の側壁中央部には突起４０が設けられ、該突起４０は錠箱５に設けられたトリガーガイド（図示しない）に案内される。本実施例のトリガー７は、その先端部３２が角筒状のトリガー支持部材に常に嵌入している。したがって、トリガー７はトリガー支持部材及び前記突起４０に案内されて安定的に進退動する。また、幅広後端部３３の後側の上部には、上下動する施錠片の錠止腕と係合する第３係合部分４１が形成されている。この第３係合部分４１は、仮止め用係合部分８よりも低い位置にある。  
【００３１】
加えて、幅広後端部３３の前記第３係合部分４１の垂直錠止面４１ａの前方には、該幅広後端部３３の先端面３３ａに至る水平方向の横溝４２が形成されている。
【００３２】
なお、トリガーバネ１７は幅広後端部３３と錠箱５の後壁との間に横方向に組込まれ、その先端部が幅広後端部３３のバネ嵌合部分３７の内面に適宜に圧接し、一方、後端部は後壁に固定的に設けられたバネ支持具に支持されている。したがって、トリガー７は、トリガーバネ１７のバネ力により、その先端部３２の一部が常時フロント６から突出するように付勢されている。
【００３３】
（５）鎌片
図２，図３を参照にして鎌片１０を説明する。鎌片１０は全体として人差し指を折り曲げた形態をしており、その幅広基部１０ｂの縁部には可動軸２７が突設されている。可動軸２７は錠箱５の横長案内部としての横長案内長孔に係合している。また鎌片１０の基部１０ｂには鎌片長孔１８が形成されている。鎌片１０は、該鎌片長孔１８を貫通する固定軸１９に軸支されている。したがって、鎌片１０がトリガー７に連動するための動力変換機構は、トリガー７の第２係合部分３６と鎌片１０の可動軸２７で構成されているから、極めてシンプルな構成となっている。
【００３４】
ところで、本実施例の引戸錠Ｘは、錠箱５に鎌片１０の可動軸２７を案内する横長案内部が形成され、一方、前記鎌片１０の基部には鎌片長孔１８が形成されていることから、たとえば５ｍｍにチリ寸法が設定されていても、換言すれば、トリガー７の先端部３２の突出量が多少大きい場合であっても、鎌片長孔１８は、「チリ調整機能」を有し、引戸１の閉戸時、仮施錠状態であっても、チリをさらに狭める方向（例えば１．８ｍｍ）へと引戸を閉めることも可能である。この時、鎌片１０は、鎌片長孔１８を有し、また、錠箱５は横長案内部２８を有するため、所定の施錠位置のままである。
【００３５】
であるから、後述の本施錠片６１を押し下げない限り（トリガー７を完全にロックしない限り）、鎌片１０の鉤状先端部１０ａがストライク４に係合（掛合）のままであっても、引戸１をさらに閉めると、鎌片１０の基部１０ｂ側を錠箱５内に後退させることができる（ここでは、これを「仮施錠時におけるチリ調整機能」という）。
【００３６】
（６）本施錠片
図９を参照にして本施錠片６１を説明する。本施錠片６１は、肉厚板状に形成された上下方向のスライド部材であり、ラッチユニット部材９のラッチ１４の右隣に配設されている。こにより、錠箱５内の空間を有効的に活用している。本施錠片６１は、少なくとも錠箱５の側壁開口部２９を介して該錠箱５内に図示しない操作部材の係合腕６９と係合可能な係合窓６３を有する。本実施例の係合窓６３は矩形状に形成されている。この係合窓６３を基準にすると、ラッチユニット部材９側には、錠止腕６２が垂直状態に延びていると共に、該錠止腕６２に連設する上方には、ラッチ１４の側壁部分の上部に当接可能な阻止部分６６が設けられている。
【００３７】
一方、係合窓６３よりも上方部分には、錠箱５の上壁内面に当接可能な突起部分６４が形成されている。さらに、係合窓６３よりも下方部分には、図示しない取付け座の連結杆と係合可能な下向きＵ字状の切欠部分６５が複数個並列に形成されている。
【００３８】
本実施例の本施錠片６１は、ラッチ１４がトリガー７の複数個の仮止め用係合部分８のいずれかに係合した仮施錠の状態に於いて、押圧腕部材の係合腕６９を介して、トリガー７に係合する方向へスライドすると、その一端部の錠止腕６２が前記横溝（係合溝）４２に入り込むと同時に、他端部の阻止部分６６がラッチ１４の側壁部分の上部に当接して、該ラッチ１４の係合解除の方向（図面上、時計方向）への回転を完全に阻止する。
【００３９】
（７）主要部の作用・効果
図１１を参照にして説明したように、申請中の引戸錠は、引戸１を開こうとすると、鎌片１０の先端部１０ａが、ストライク４の内壁面に当たるとこから、引戸１側から見れば、鎌片１０がストライク４に引っ張り出される格好となる。この時、鎌片１０は水平長孔１８を介してある程度引っ張られると回転し、ストライク４の開口縁部分４ａから外れるが、ラッチ１４は枠状の支持片１２に対して単独行動をして傾倒回転する。
【００４０】
しかし、図８で示すように、本実施例では、錠箱５内にストッパー２０を設け、一方、前記ラッチ１４の下端部には、前記ストッパー２０に圧接する当たり部分２１が設けられていることから、開戸時、トリガー７の仮止め用係合部分８の押圧面３５に押圧されて傾倒するラッチ１４と共に支持片１２も一緒に同期的に上昇する。したがって、ラッチ１４は異常作動（単独的傾倒ないしそのまま復帰）をしない。その結果、図１３でしめすような「開戸時に鎌片１０の先端部１０ａがフロント６から出てしまう」という現象が発生しない。
【実施例】
【００４１】
本実施例では、説明の便宜上、トリガー７の仮止め用係合部分８が「２個」の例で説明したが、「１個」でも良い。また、多様なチリ寸法に対応することができるように「３個」、或いは「４個」形成しても良い。また、本実施例に於いて、錠箱５のフロント１１とラッチユニット部材９との間の狭い空間部分７に、指状のラッチ強制解除手段２５を軸支しているので、錠箱５の限られた空間７を有効的に活用することができるが、ラッチ強制解除手段２５は、あくまでも本発明の付随的要件である。
【産業上の利用可能性】
【００４２】
本発明は、主に錠前や建具の業界で利用される。
【図面の簡単な説明】
【００４３】
図１乃至図１９は本願発明の一例を示す各説明図である。
【図１】先願発明の実施形態の一例を示す外観斜視図。
【図２】内部構造を示す概略説明図。
【図３】内部構造を示す概略説明図（鎌片係合）。
【図４】主要部の概略説明図。
【図５】主要部の概略断面説明図。
【図６】トリガーの正面図。
【図７】トリガーの左側面図。
【図８】先願発明の作用・効果に関する説明図。
【図９】本施錠片でラッチをロックした場合の説明図。
【図１０】出願人が申請中の実施例の概略説明図。
【図１１】問題点を示す概略説明図。
【図１２】問題点を示す概略説明図。
【図１３】問題点を示す概略説明図（鎌片が突出した状態）。
【符号の説明】
【００４４】
Ｘ…引戸錠、Ｙ…受け金具、１…引戸、２…戸枠、３…トロヨケ、４…ストライク、４ａ…ストライクの開口縁部分、５…錠箱、６…フロント、７…トリガー、８…仮止め用係合部分、９…ラッチユニット部材、１０…鎌片、１０ａ…先端部、１０ｂ…基部、１１…支持片用バネ（弱いバネ）、１２…支持片、１３…可動軸、１４…ラッチ、１５…係合爪部、１６…仮止め用バネ（強いバネ）、１７…トリガーバネ、１８…水平長孔、２０…ストッパー、２１…当たり部分、２２…軸孔（真円）、２３…案内部（垂直長孔）、２７…可動軸、２８…横長案内部分、６１…本施錠片、６２…錠止腕、６３…係合窓、６４…突起部分、６５…切欠部分、６６…阻止部分、６９…係合腕、Ａ，Ｂ…矢印。
【図１】
0004675205.tif 000002
【図２】
0004675205.tif 000003
【図３】
0004675205.tif 000004
【図４】
0004675205.tif 000005
【図５】
0004675205.tif 000006
【図６】
0004675205.tif 000007
【図７】
0004675205.tif 000008
【図８】
0004675205.tif 000009
【図９】
0004675205.tif 000010
【図１０】
0004675205.tif 000011
【図１１】
0004675205.tif 000012
【図１２】
0004675205.tif 000013
【図１３】
0004675205.tif 000014